(57)【特許請求の範囲】
【請求項１】
少なくとも環状の磁気ギャップを設けた磁気回路と、この磁気回路に結合された平面が細長形状のフレームと、外周がこのフレームに結合され、内周が上記環状の磁気ギャップにはめ込まれる円筒状のボイスコイルボビンに結合されるとともに、トラック形状のコーン形振動板の長径方向の中心部と外周部との間に、このコーン形振動板の平面部分の形成を回避すべく、短径方向の断面に半円弧状部を設け、この半円弧状部より外周部に近い短径方向の断面形状は、外周部に近くなるにつれて、円弧形状の曲率を小さくした円弧形状に形成するとともに、前記半円弧状部より内周部に近い短径方向の断面形状は、内周部に近くなるにつれて、長径方向の中心部における短径方向の断面形状に近くなるように、穏やかな変化率で面形状を形成したトラック形状振動板とで構成されるスピーカ。
【発明の詳細な説明】
【０００１】
【発明の属する技術分野】
本発明は各種音響機器に使用される細長構造のスピーカに関するものである。
【０００２】
【従来の技術】
従来の技術を図９から図１３により説明する。図９は従来の細長形であるトラック型スピーカの長径方向の断面図であり、図１０は同要部であるコーン形の振動板の平面図であり、図１１は同要部であるコーン形の振動板の図１０のＡ−Ａラインの断面図であり、図１２は同要部であるコーン形の振動板の図１０のＢ−Ｂラインの断面図であり、図１３は同要部であるコーン形の振動板の図１０のＣ−Ｃラインの断面図である。
【０００３】
同図によると、スピーカはマグネット１を上部プレート２及び下部プレート３によりはさみ込んで構成された磁気回路４の上部プレート２に開口平面が細長のトラック形状のフレーム６を結合し、このフレーム６の周縁部にコーン７をエッジ８によりクランプした構成とした平面細長形状のホーン形の振動板９を接着し、この振動板９を駆動させるためのボイスコイル１０の中間部をダンパー１１にて中心保持し、上記磁気回路４の環状の磁気ギャップ５にはまり込むように結合し、ボイスコイル１０の上面にダストキャップ１２を接着して構成されていた。
【０００４】
上記振動板９は４つの平面部ａ，ｂから構成され、その境界線には稜線１３が形成され、図１１から図１３の断面図に示すように平面部ａを中心にその両側に平面部ｂが立ち上がる形で且つボイスコイル１０より長径方向に遠ざかるほど連続的に平面部ａが広く、浅くなるように形成されていた。
【０００５】
【発明が解決しようとする課題】
しかしながら従来のこの種のスピーカは、そのトラック型というスリム形状から影響される性能上の欠点として、振動板９に不要な共振モードが発生し周波数特性上、ピーク、ディップの多い不安定な特性になるという設計上困難な問題を有するものであった。
【０００６】
この原因は、振動板９の振動モードが周波数により変化する時に不要共振モードが発生することになり、これはトラック形状の振動板の宿命であるが、通常、振動板形状の一部の面が平面に近い形状となっていると、この部分にのみ不要共振モードが発生してボイスコイルと同位相で振動している他の部分に対して、逆位相もしくは位相差が生じ、周波数特性上、ピーク、ディップが発生するためである。
【０００７】
この不要共振モードの発生は、特に長径方向の外周部か、短径方向の中心部に多く発生する傾向がある。これは、この部分がより平面に近い形状になっているためである。
【０００８】
本発明はこのような従来の問題点を解消し、周波数特性上安定化を図ることができる優れたスピーカを提供することを目的とするものである。
【０００９】
【課題を解決するための手段】
上記課題を解決するために本発明のスピーカは、少なくとも環状の磁気ギャップを設けた磁気回路と、この磁気回路に結合された平面が細長形状のフレームと、外周がこのフレームにエッジを介して結合され、内周が上記環状の磁気ギャップにはめ込まれる円筒状のボイスコイルボビンに結合されるとともに、トラック形状のコーン形振動板の長径方向の中心部と外周部との間に、このコーン形振動板の平面部分の形成を回避すべく、短径方向の断面に半円弧状部を設け、この半円弧状部より外周部に近い短径方向の断面形状は、外周部に近くなるにつれて、円弧形状の曲率を小さくした円弧形状に形成するとともに、前記半円弧状部より内周部に近い短径方向の断面形状は、内周部に近くなるにつれて、長径方向の中心部における短径方向の断面形状に近くなるように、穏やかな変化率で面形状を形成したトラック形状振動板とで構成されるものであり、上記振動板は断面を弧状として極力平面部分の形成を回避したので不要共振の発生を防止でき、アスペクト比の高い細長形状にあって周波数特性の安定化を図ったスピーカを提供できるものである。
【００１０】
【発明の実施の形態】
本発明の請求項１に記載の発明は、少なくとも環状の磁気ギャップを設けた磁気回路と、この磁気回路に結合された平面が細長形状のフレームと、外周がこのフレームにエッジを介して結合され、内周が上記環状の磁気ギャップにはめ込まれる円筒状のボイスコイルボビンに結合されるとともに、トラック形状のコーン形振動板の長径方向の中心部と外周部との間に、このコーン形振動板の平面部分の形成を回避すべく、短径方向の断面に半円弧状部を設け、この半円弧状部より外周部に近い短径方向の断面形状は、外周部に近くなるにつれて、円弧形状の曲率を小さくした円弧形状に形成するとともに、前記半円弧状部より内周部に近い短径方向の断面形状は、内周部に近くなるにつれて、長径方向の中心部における短径方向の断面形状に近くなるように、穏やかな変化率で面形状を形成したトラック形状振動板とで構成したことによって、上記振動板の断面を弧状として極力平面部分の形成を回避したので不要共振の発生を防止でき、アスペクト比の高い細長形状にあって周波数特性の安定化を図ったものである。
【００１１】
以下、本発明のスピーカの一実施の形態について図１から図８により説明する。
【００１２】
（実施の形態１）
図１は本発明のスピーカの一実施の形態の細長形であるトラック型スピーカの長径方向の断面図であり、図２は同要部であるコーン形の振動板の平面図、図３は同要部であるコーン形の振動板の図２のＤ−Ｄラインの断面図、図４は同要部であるコーン形の振動板の図２のＥ−Ｅラインの断面図、図５は同要部であるコーン形の振動板の図２のＦ−Ｆラインの断面図、図６は同要部であるコーン形の振動板の図２のＧ−Ｇラインの断面図、図７は同要部であるコーン形の振動板の図２のＨ−Ｈラインの断面図であり、図８（ａ），（ｂ）は周波数特性図である。
【００１３】
同図によると、マグネット２１を上部プレート２２及び下部プレート２３によりはさみ込んで構成された磁気回路２４の上部プレート２２に開口平面が細長のトラック形状のフレーム２６を結合し、このフレーム２６の周縁部にコーン２７をエッジ２８によりクランプした構成とした平面細長のトラック形状のコーン形の振動板２９を接着し、この振動板２９を駆動させるためボイスコイル３０を、その中間部をダンパー３１にて中心保持しながら環状の磁気ギャップ２５にはまり込むように振動板２９の内周に結合し、ボイスコイル３０の上面にダストキャップ３２を接着して構成している。
【００１４】
なお、上記振動板２９は短径方向の断面が上記ボイスコイル３０の近傍を除き弧状の曲面となっている。即ち、図３に示す図２のＤ−Ｄラインの断面（ボイスコイル３０の近傍）が従来の直線形状（つまりボイスコイル３０の両側が平面状となっている）となっているのを除き、図４から図７に示す振動板２９の短径方向の各断面図に示すごとく弧状の曲面形状としたものである。
【００１５】
図２に示したＤ−Ｄ〜Ｈ−Ｈラインにおける断面形状を図３〜図７により説明すると、図３については、図２の中心断面Ｄ−Ｄを示したものであり、振動板２９の中心断面の２つのストレート斜面２７Ａと２７Ｂ及びボイスコイル接着部の平面部２７Ｃが接合された状態の３辺により構成された断面形状であり、この形状は従来と同様である。
【００１６】
さらに、図４については、中心部と外周部の中間部のうち中心部に近い断面形状Ｅ−Ｅを示した曲線形状２７Ｅであり、前記図３の３辺の断面を外径方向に変化させた形状となっており、まるみを帯びた形状となっている。図５については、中心部と外周部の中間部の断面形状Ｆ−Ｆを示した曲線形状２７Ｆであり、半円弧形状となっている。図６については、中心部と外周部の中間部のうち外周部に近い断面形状Ｇ−Ｇを示した曲線形状２７Ｇであり、前記図５の半円弧形状をさらに曲率を小さくした円弧形状となっている。さらに、図７については、外周部の断面形状Ｈ−Ｈを示した曲線形状２７Ｈであり、前記図６の円弧形状の曲率をさらに小さくした円弧形状で構成している。
【００１７】
このような断面形状でトラック型振動板を構成することにより、平面図での形状は図２に示すように、コーン面にその傾斜が急激に変化する偏曲点がなく、緩やかな変化率で面形状を変化させているため、スムーズな面構成となり稜線がくっきり現れることはない。
【００１８】
よって、図８（ａ）に示すように本実施の形態の周波数特性は図８（ｂ）の従来のものに比べてピークディップの抑制されたものとなり、周波数特性の安定化したスピーカとなるものである。
【００１９】
【発明の効果】
以上のように本発明のスピーカは、少なくとも環状の磁気ギャップを設けた磁気回路と、この磁気回路に結合された平面が細長形状のフレームと、外周がこのフレームにエッジを介して結合され、内周が上記環状の磁気ギャップにはめ込まれる円筒状のボイスコイルボビンに結合されるとともに、トラック形状のコーン形振動板の長径方向の中心部と外周部との間に、このコーン形振動板の平面部分の形成を回避すべく、短径方向の断面に半円弧状部を設け、この半円弧状部より外周部に近い短径方向の断面形状は、外周部に近くなるにつれて、円弧形状の曲率を小さくした円弧形状に形成するとともに、前記半円弧状部より内周部に近い短径方向の断面形状は、内周部に近くなるにつれて、長径方向の中心部における短径方向の断面形状に近くなるように、穏やかな変化率で面形状を形成したトラック形状振動板とで構成されるものであり、上記振動板は断面を弧状として極力平面部分の形成を回避したので不要共振の発生を防止でき、アスペクト比の高い細長形状にあって周波数特性の安定化を図ったスピーカを提供できるものである。
【図面の簡単な説明】
【図１】本発明のスピーカの一実施の形態の細長形であるトラック型のスピーカの長径方向の断面図
【図２】同要部であるコーン形の振動板の平面図
【図３】同要部であるコーン形の振動板の図２のＤ−Ｄラインの断面図
【図４】同要部であるコーン形の振動板の図２のＥ−Ｅラインの断面図
【図５】同要部であるコーン形の振動板の図２のＦ−Ｆラインの断面図
【図６】同要部であるコーン形の振動板の図２のＧ−Ｇラインの断面図
【図７】同要部であるコーン形の振動板の図２のＨ−Ｈラインの断面図
【図８】（ａ）同周波数特性図（ｂ）従来のスピーカの周波数特性図
【図９】従来の細長形であるトラック型のスピーカの長径方向の断面図
【図１０】同要部であるコーン形の振動板の平面図
【図１１】同要部であるコーン形の振動板の図１０のＡ−Ａラインの断面図
【図１２】同要部であるコーン形の振動板の図１０のＢ−Ｂラインの断面図
【図１３】同要部であるコーン形の振動板の図１０のＣ−Ｃラインの断面図
【符号の説明】
２４  磁気回路
２６  フレーム
２９  振動板
３０  ボイスコイル
【図１】
0004024334.tif 000002
【図２】
0004024334.tif 000003
【図３】
0004024334.tif 000004
【図４】
0004024334.tif 000005
【図５】
0004024334.tif 000006
【図６】
0004024334.tif 000007
【図７】
0004024334.tif 000008
【図８】
0004024334.tif 000009
【図９】
0004024334.tif 000010
【図１０】
0004024334.tif 000011
【図１１】
0004024334.tif 000012
【図１２】
0004024334.tif 000013
【図１３】
0004024334.tif 000014